(57)【特許請求の範囲】
【請求項１】
後の光を、つば又はひさしに付した平面鏡状の部材
（ただし、図１に示すとおり、余分の死角を増やさないようつば又はひさしに付したものに限る）
に反射させて自然に目に入るようにしたつば又はひさし。
【請求項２】
請求項１に記載のつば又はひさしを有する帽子、ヘルメット又はバイザー。
【発明の詳細な説明】
【技術分野】
【０００１】
本発明は、安全、安心、セキュリティ、事故防止のために、周囲の物体を把握しやすくするための技術、特に鏡により物体の影が目に入りやすくすることにより目的を達成する技術に関する。また、特に、つば（又はひさし）や自動車のバックミラーに付して利用する鏡又は鏡製品（追加装備）に関する。
【背景技術】
【０００２】
つば（又はひさし）は、光によるまぶしさを抑えるだけでなく、土や埃やゴミが顔や目に触れるのを防いだり、周囲の物体との物理的な距離を維持したり、周囲の物体との物理的な距離感を把握したり、あるいは帽子そのもの（つばとは限らない）に張ったステッカー等の反射物によって（夜道の車などから）存在や距離を把握されたりするためにも使用されてきた（下記、特許文献１、特許文献２、非特許文献１、等）。
【０００３】
しかし、つば（又はひさし）により、（多くの場合）クチバシ状の死角が発生するため、この死角を別途利用することが求められていた。バイザーや一部のヘルメットでは、つば（又はひさし）を（半）透明等にすることにより、この問題はある程度解決できたが、工場用ヘルメット等ではつば（又はひさし）の部材が厚いため透明にするだけでは前方上方向等からの、もともと知覚可能な視覚情報を維持できるだけであった（下記、非特許文献１）。
【先行技術文献】
【特許文献】
【０００４】
【特許文献１】実願平１０−５８０９号公報
【特許文献２】特開平９−５９８１７号公報
【非特許文献】
【０００５】
【非特許文献１】ホームページ：http://www.hakuisyokai.com/itirananzenhogogu.html
【発明の概要】
【発明が解決しようとする課題】
【０００６】
本発明は、つば（又はひさし）によって失われがちな死角を、安全、安心、セキュリティ、事故防止等の目的で活かすことを目的とする。しかも、電気技術を用いたディスプレイ等を用いるよりも、安価に活かすことを目的とする。
【課題を解決するための手段】
【０００７】
本発明（請求項１）は、後の光を、
つば又はひさしに付した平面鏡状の部材
（ただし、図１に示すとおり、余分の死角を増やさないようつば又はひさしに付したものに限る）
に反射させて
自然に目に入るようにしたつば又はひさしであること、
又は、そのようなつば又はひさしを有することを最も主要な特徴とする。
これにより、本発明の、上記の基本的な課題が達成される。
【００１４】
さらに本発明では、余分の死角を増やさないようにするため、鏡上の部材がつば（又はひさし）の先に行くほど細く、薄く又は透明になるようにすることが出来る。
【００１６】
また、本発明（請求項２）は、上記のような反射面（鏡面）を付したつば又はひさしを
有する帽子、ヘルメット又はバイザーを提供し、買ってすぐに、安全性等を向上できるよ
うにする。
【発明の効果】
【００１８】
つば又はひさしに付された鏡状の部材（ただし、死角を増やさないように工夫されている）により、後や上を見ることができる。
【図面の簡単な説明】
【００１９】
【図１】図１は、つば（又はひさし）の実施例１を示した説明図である。
【図２】図２は、つば（又はひさし）の実施例２を示した説明図である。
【図３】図３は、つば（又はひさし）の鏡製品（鏡状の部材）の配置と構造を示した説明図である。
【図４】図４は、鏡製品（鏡状の部材）を多面体の反射面（目の安全性のため角を鈍角とした）をもつように構成した実施例３の説明図である。
【図５】図５は、いずれも顔の上方向からの光をも反射できるようにした、実施例４（部材例１）、実施例５（部材例２）、実施例６（部材例３）の説明図である。
【図６】図６は、顔の上方向からの光を採光するための開口部を設けたつば（又はひさし）の説明図（開口部と反射面の配置関係を含む）である。
【図７】図７は、つば（又はひさし）によりもともとあった死角を拡張しない（余計な死角を増やさない）ための鏡等の形状を説明した説明図である。
【図８】図８は、つば（又はひさし）に付しやすい鏡製品の例を示した説明図である。
【図９】図９は、自動車等のバックミラーの左右に本発明を適用する例の説明図である。（実施例７）
【発明を実施するための形態】
【００２０】
既存の工場用ヘルメット等に（バックミラー等にも）後付けできる手軽で実用的な鏡アクセサリ製品（視野拡張による安全性向上目的）として実現した。
【実施例１】
【００２１】
図１は、本発明の１実施例の説明図であって、１は工場用ヘルメット、２はヘルメットのつば（又はひさし）部分、３はつば（又はひさし）２によりもともと存在する死角、４は、本発明による鏡製品である。
鏡製品４は、もともと存在する死角２を拡張しないように付着可能であり、ヘルメット１を被った人の頭の後方等からの光を反射することにより、後方から迫る物体等の存在を早期に認識できるようにする効果がある。
【実施例２】
【００２２】
図２は、本発明によるつば（又はひさし）２を長くし、目から鏡面までの距離を十分にとることにより、より見やすくした実施例２の説明図である。これは、鏡面が平面でなく曲面とした場合に、より効果がある。
【実施例３】
【００２３】
図３は、鏡製品（鏡状の部材）の左右の接着位置（透視図）と右用製品４の構造を説明した説明図である。４ａはつば（又はひさし）の下面への接着面、４ｂは主要な反射面、５は顔の右後方向からの光の反射の様子（経路）である。反射面４ｂを平面とし、このような４面体とすることにより、加工コストを極小とすることができる。
【実施例４】
【００２４】
図４は、鏡製品（鏡状の部材）が多面体の反射面（目の安全性のため角を鈍角とした）をもつように構成した実施例３の説明図である。図３に追加して左右の反射面（４ｃ、４ｄ）があるため、より左方向の光（４ｃによる）や、より右方向の光（４ｄによる）を反射し、物体の影を認識することができる。また、鏡の角が十分鈍角になっているため、あやまって目や顔等に接触しても怪我をしにくいような形状となっている。鏡の角だけでなく、その他の角についても、それ以外のいわゆる面取り（図示しない）がされていてもよい。
【実施例５】
【００２５】
図５は、いずれも、顔の上方向からの光をも反射できるようにした、実施例４（部材例１）、実施例５（部材例２）、実施例６（部材例３）の説明図である。顔の上からの光は透明素材２ａを透過してつば（又はひさし）２と向かい合う鏡面に反射し、目に入る形となる。実施例５（部材例２）では、下からの光も目に入りやすくなっている。また、実施例６（部材例３）では、材料の屈折率等が異なる透明素材４の中に反射面を構成することにより、透明素材２ａと一体の部品として効率的に製造することもできる。また、透明素材２ａを用いるのではなく同様の機能の開口部２ａとして実現した場合には、部材例３により開口部２ａからの雨水やほこりの顔への浸入を抑えるようにすることができる。
【実施例６】
【００２６】
図６は、顔の上方向からの光を採光するための開口部を設けたつば（又はひさし）の説明図（開口部と反射面の配置関係の説明（２つの補助図）を含む）である。図６は、開口部２ａを設けたことにより、上からの光が、反射面に反射して、目に入るように構成している。
【実施例７】
【００２７】
図７は、つば（又はひさし）２によりもともとあった死角を拡張しない（余計な死角を増やさない）ための鏡等２ａの形状を説明した説明図である。つばの先に近くなるほど細くなる（又は透明になる）ことにより、目からの余計な死角を増やさないように実現できる。
【実施例８】
【００２８】
図８は、つば（又はひさし）に付しやすい鏡製品４の例を示した説明図である。ヘルメットのつばの下の接着面４ａには、つばと接着するための強力両面テープが片面のみ貼られた状態で販売される。
【実施例９】
【００２９】
図９は、自動車等のバックミラー９の左右に本発明を適用する実施例７の説明図である。この例では、右用、左用のそれぞれの鏡製品をバックミラーの左右両側に付着して用い、左後および右後に発生しがちな自動車運転手からの死角を、両反射面（４ｃ、４ｄ）により取り払う役割を果たす。
【産業上の利用可能性】
【００３０】
本発明は、その部材が死角となっているものについては、つば（又はひさし）だけでなく、眼鏡／ゴーグルや、お面／マスクや、バックミラーや、パソコンモニター／テレビの枠や、冷蔵庫や、ドア等にも付したり、最初から備え付けて一体的に製造することができ、上記セキュリティ等の向上に役立てることができる。
【符号の説明】
【００３１】
１    ヘルメット（又は、帽子やバイザー固定具）
２    つば（又はひさし）
２ａ  つば（又はひさし）の採光用開口部
３    つば（又はひさし）からもともと生じる死角
４    本発明による鏡製品
４ａ  本発明による鏡製品の接着面（つば（又はひさし）の下に接着する面）
４ｂ  本発明による鏡製品の反射面（主に後正面方向からの光を反射する）
４ｃ  本発明による鏡製品の反射面（主に左後方向からの光を反射する）
４ｄ  本発明による鏡製品の反射面（主に右後方向からの光を反射する）
５    後方向から来て反射する光の経路
８    接着面に片面だけ貼られた強力両面テープ
９    自動車等のバックミラー
【図１】
0005906446.tif 000002
【図２】
0005906446.tif 000003
【図３】
0005906446.tif 000004
【図４】
0005906446.tif 000005
【図５】
0005906446.tif 000006
【図６】
0005906446.tif 000007
【図７】
0005906446.tif 000008
【図８】
0005906446.tif 000009
【図９】
0005906446.tif 000010